(57)【要約】【課題】本発明は、新規なスライドシステムを提案するものであり、フィルム番号を認識し、この認識結果の応じて、外部機器、例えば音声出力を制御することが可能なスライドシステムを提供するものである。【解決手段】光源ユニットと、この光源からの放出光を横切る位置にフィルム配置部が設けられたフィルム配置ユニットと、このフィルムを透過した光を光投影する投影レンズと、前記フィルム配置ユニット内に設けられたフィルム識別手段と、このフィルム識別手段によって識別された識別番号に対応した処理を行う処理手段を有することを特徴とする画像表示装置であり、インタラクティブな動作を可能としたスライド投影システムを提供するものである。【選択図】    図１
2004326064.tif 000002
【特許請求の範囲】
【請求項１】
光源ユニットと、この光源からの放出光を横切る位置にフィルム配置部が設けられたフィルム配置ユニットと、このフィルムを透過した光を光投影する投影レンズと、前記フィルム配置ユニット内に設けられたフィルム識別手段と、このフィルム識別手段によって識別された識別番号に対応した処理を行う処理手段を有することを特徴とする画像表示装置。
【請求項２】
前記処理手段は、前記識別番号に対応して音声出力を行う外部記憶媒体再生手段であることを特徴とする請求項１項記載の画像表示装置。
【請求項３】
フィルムを収納する枠を有し、この枠にフィルムを識別するインデックスを開口又は切り欠きにて形成したことを特徴とするスライドホルダ。
【請求項４】
前記フィルム配置ユニットは、前記識別手段で検出したフィルムのインデックスを電波又は赤外線で出力する送信手段を有し、前記外部記憶媒体再生手段はその送信信号を受信する受信手段を有することを特徴とする請求項１項記載の画像表示装置。
【発明の詳細な説明】
【０００１】
【発明の属する技術分野】本発明は、スライド投影装置に関するものである。
【０００２】
【従来の技術】フィルムに音声データを付加し、又はスライドホルダに音声データを付加して写真に焼く時に、音声データを写真に付加するシステムが知られている。例えば、特開２００３−９８６０７号参照。
【０００３】このような写真ないしは絵本等に音声データを書込み、スキャナーにてなぞることにより音声を出力するものは、取扱いが面倒であり、あまり普及していない。
更に、外部の音声に応じてスライドを自動的に切替える技術も知られている。例えば、特開平７−３３３７５９号参照。
また、スライドホルダにアスペクト情報を形成することが知られている。例えば、特開平１０−２０４０５号参照。
しかしながら、フィルム番号を認識して、外部機器を制御する技術は知られていない。
【０００４】
【発明が解決しようとする課題】本発明は、新規なスライドシステムを提案するものであり、フィルム番号を認識し、この認識結果の応じて、外部機器、例えば音声出力を制御することが可能なスライドシステムを提供するものである。
【０００５】本発明では、個人的に撮影したフィルムと音声データとを対応付けできると共に、絵本などをスライドで制作した場合、その各画面毎に音声が自動的に出力できるコンパクトなスライド投影システムを提供することを目的としている。
【０００６】
【課題を解決するための手段】光源ユニットと、この光源からの放出光を横切る位置にフィルム配置部が設けられたフィルム配置ユニットと、このフィルムを透過した光を光投影する投影レンズと、前記フィルム配置ユニット内に設けられたフィルム識別手段と、このフィルム識別手段によって識別された識別番号に対応して処理を行う処理手段、例えば音声出力を行う外部記憶媒体再生手段を有することを特徴とする画像表示装置である。
【０００７】
【発明の実施の形態】以下、図に沿って本発明の実施形態を説明する。図１は本発明の実施形態の全体構成を示す斜視図である。この図において、１はスライド投影ユニットであり、光源ユニット２、フィルム配置ユニット３、及び投影レンズユニット４、及びこのレンズユニット４を保護する図示しない保護カバーからなる。
このスライド投影ユニット１は、本体ケース６に脱着可能に収納される。また、本体ケース６には分割された蓋１０ａ、１０ｂが設けられており、蓋１０ａは開いた状態で垂直に固定される。この蓋１０ａの内側には白色の投影用スクリーン７が設けられている。
尚、本体ケース６には、処理手段の１例である音声出力ユニット２４や、マイクロフォン４１を有する録音ユニット４２等のオプション機器が収納される。
本実施例では、スピーカ２７は、本体に内蔵されている。音声出力ユニット２４は、外部記憶媒体例えばＣＤ−ＲＯＭのドライブ装置であり、ＣＤ−ＲＯＭに記録された音声データを読み出す読出し装置２６と、再生や停止、スキップなどを行う音声ユニット操作部２４、及びスライド投影ユニット１からの再生指示信号を受信する赤外線受信部２９からなる。
【０００８】続いて、図２、図３にスライド投影ユニットの詳細を示す。光源ユニット２は、ＬＥＤ（半導体発光素子）を用いた光源であり、複数の白色ＬＥＤからなり、スライド投影ユニット１に着脱可能に保持される。この光源ユニット２は、赤色、青色、及び緑色の３種類のＬＥＤで構成し、３色を同時に発光することで白色光を生成してもよい。
【０００９】フィルム配置ユニット３はスライド９を挿入しやすくするために、入口が広げらた開口であるスライド挿入口３ａを有している。このフィルム配置ユニット３には、スライドが挿入される部位の直下に、フォトインタラプタ５が設けられており、スライド９を挿入するとスイッチ３ｃがオン状態となり光源２は点灯し、スライド９を取外す（持ち上げる）と光源２は消灯する。
【００１０】このフォトインタラプタ５は、マイコン２０に接続されており、更に、このマイコンには、送信用赤外線ＬＥＤ２２及び、入力手段２３が接続されている
フォトインタラプタ５とマイコン２０でフィルム識別手段が構成され、このフィルム識別手段により、フィルム番号が識別されると共に、図示しない処理手段の１例である音声出力ユニットに対する音声再生指示信号が形成される。
入力手段２３については、別途説明する。
【００１１】尚、フィルム配置ユニット３にはメインスイッチ３ｂが設けられているが、このメインスイッチ３ｂは、スライド挿入口３ａが識別できる程度に光源のＬＥＤの１つを部分的に点灯するものである。
尚、光源の投影用スイッチ３ｃは、スライドが挿入されると動作するが、その他に強制的に光源を動作させる光源点灯スイッチを設けてもよい。
【００１２】投影レンズユニット４は、複数のレンズから構成され、光源側のレンズは、挿入されたスライドに焦点を有するレンズが用いられ、他のレンズの位置を移動することにより、結像距離が調節される。
通常は、スライド投影ユニットを本体ケースに配置した状態で、ケースの蓋の裏に設けられたスクリーン７に結像するように設定される。スライド投影ユニットを本体ケースから取り外した場合は、レンズを調節することにより、レンズから３ｍ以内の範囲内に結像が得られる。
【００１３】フィルム配置ユニット３はケース状の構造体からなり、この構造体に光源から投影レンズに至る光路、スライド挿入部、スライド挿入部から離間して、投影レンズが設けられる。
このスライド投影ユニットは、図７（ａ）から（ｃ）に示されるようなキャラクターの外形を有する保護部材で覆ってもよい。
【００１４】この場合は、図７（ｃ）に示すように、メインスイッチ３ｂは、スライド挿入口３ａを覆う頭部に設けられ、この頭部をスライド移動した場合にオン状態となる。尚、投影口は透明な樹脂材が用いられている。
【００１５】この実施例のスライド投影ユニットは、本体から取外した場合、例えば、寝ながら映像を鑑賞するために、天井に投影して利用することも可能である。
【００１６】通常のスライドプロジェクタでは、光源としてハロゲンランプ等の高出力ランプを設けているが、本実施例のような大画面を必要としない場合は、そのような高出力ランプを用いる必要がなく、ＬＥＤ光源を用いている。
このＬＥＤ光源は、１個又は複数個の高出力白色ＬＥＤ（通称パワーＬＥＤと呼ばれる。）が並列に接続されたものであり、メインスイッチ３ｂにより、１つだけ点灯し、スライド９を挿入した場合に全てが点灯する。更に、各ＬＥＤへの供給電流を変更する手段を設け、回転式のノブにより、光の強さを可変としてもよい。
通常のプロジェクタに用いるランプは、高出力であり、かつ発光効率はさほど高くないため、冷却手段が必要となるが、ＬＥＤを用いた本光源は、ファン等の冷却手段は不要となる。
また、フィルム配置ユニット３には、電池収納部が設けられており、ここに収納されるバッテリ８の電力でＬＥＤは点灯する。
尚、ＡＣ／ＤＣアダプタを接続可能にして、家庭の商用電源で点灯できるようにしてもよい。
【００１７】また、ＬＥＤは半導体であり、寿命は極めて長いため、交換の必要はないが、より高出力な光源ユニットと交換が可能となるように、光源ユニット１は、フィルム配置ユニットに脱着可能に保持される。この場合は、フィルム配置ユニット内に電流値を可変できる電源回路を設けるとよい。尚、バッテリ配置ユニットを別ユニットとして組込むようにしてもよい。更には、電源を含んだ光源ユニットとしてもよい。
【００１８】尚、本実施例では、図４に示すように、フィルム配置ユニットのフィルム挿入部に設けられたフォトインタラプタ５は、マイコン２０に接続されている。このフォトインタラプタ５とマイコン２０でフィルム識別手段２１を構成している。
このマイコン２０は、フォトインタラプタ５にて検出されたフィルム識別番号に対応した音声再生指示信号を形成する。
また、マイコン２０には送信用赤外線ＬＥＤ２２が接続されており、マイコン２０にて作成された音声再生指示信号が、この送信用赤外線ＬＥＤ２２にて外部記憶媒体再生装置である音声ユニット２４に送信される。
また、入力手段２３がマイコン２０に接続されている。この入力手段２３は、音声ユニット２４を、フィルム識別番号とは独立に制御するものであり、本実施例では、音声ユニットであるＣＤ−ＲＯＭドライブの再生、停止、スキップなどの制御信号をマイコンに作成するように指示するものである。
【００１９】音声出力ユニット２４は、フィルム識別番号又は入力手段２３の操作信号に従って音声を再生又は、停止するものであり、外部記憶媒体例えばＣＤ−ＲＯＭ２５の読出し装置２６と、フィルム番号に対応する音声データをスピーカ２６に出力する音声処理部２８を有する。尚、２９は赤外線受信部であり、送信用赤外線ＬＥＤ２２からの送信信号を受信する。
ＣＤ−ＲＯＭ２５をデータ読出し装置２６に挿入した状態で、各フィルムを、フィルム挿入部に挿入すると、フィルム保持体に設けられたインデックスがフォトインタラプタ５で検出され、この検出信号によって、フィルム番号が認識され、このフィルム番号に従ってメモリ内の音声情報が読み出され出力される。
【００２０】本実施例では、フィルム識別手段からの信号なしにＣＤ−ＲＯＭ２５の再生や、停止を行う音声ユニット操作部を有している。
【００２１】この実施例では、フィルム保持体３０の下端部に開口形成部３０ａを有し、この開口形成部３０ａに開口を形成した場合、しない場合によってフィルムのインデックスを形成する。
このフィルム保持体３０（スライドホルダとも呼ばれる）は、通常は、フィルムが露出する開口とフィルムの側面を保持する枠体からなるが、フィルムの保護のために、開口を透明なフィルムで覆っても良い。
【００２２】尚、フォトインタラプタ５は、発光素子と受光素子の対がフィルム保持体を挟んで配置されるものであり、開口形成部で、開口が形成された場合は発光素子の光が受光素子に到達し、開口が形成されない場合はフィルム保持体で発光素子の光が遮られることによりオン又はオフが出力される。この発光素子と受光素子の対が６つ配置され、６ビット分のフィルムが認識される。
開口形成部の位置と開口数に従って、ＣＤ−ＲＯＭ２５の音声が指定され、フィルム番号に応じた音声が読み出され、音声出力される。
尚、インデックスは、このような開口ではなく、フィルムホルダの端部に切り欠きを用いてもよい。
【００２３】本実施例では、外部記憶媒体として、コンパクトディスクを用いたが、メモリーカードを用いてもよい。
フィルムの番号を認識するシステムでは、単なる絵本的なアプリケーションから、インタラクティブな利用へと応用範囲が広がる。
例えば、子供用の学習アプリケーションが作成できる。
このコンパクトディスクに記録された音声で「犬の絵はどれですか。」と発生し、それに対して子供が犬の絵のスライドをスライド挿入部に挿入した場合「当たりです。」と発音し、犬以外の絵のスライドを挿入した場合「はずれだよ。」と発音するような使い方が可能となる。
スライドの番号を認識するだけでなく、音声案内時からスライド挿入時までの時間を計測してもよい。
例えば、音声案内で「３つ前のスライドを入れて下さい。」と発音してから５秒経過してもスライドが挿入されなかったら「遅いよ。」と音声案内することが可能となる。
【００２４】また、音楽用のＣＤ−ＲＯＭの場合、通常は単に音楽が連続的に再生されるだけであるが、音楽用のＣＤ−ＲＯＭを本実施例の装置に対応させた場合、各曲についてのイメージフィルムを用意して、フィルムと音楽とを対応付けすることで、聞きたい曲のフィルムを挿入することで、その曲を再生することが可能となる。
また、各フィルムに各曲の説明を盛り込んでもよい。
例えば、作曲家の氏名、作曲した日時、曲の成り立ち、他の情報を盛り込むことができる。尚、スタジオの風景や、プライベートな写真をフィルムとしてもよい。
フィルムは不正コピーが困難であり、魅力的なフィルムを音楽ＣＤに付録として添付することで、ユーザーの購入意欲を喚起し、不正コピーの防止に役立てることも可能である。
【００２５】更に、別の処理手段としては、マイクロフォンを含む録音手段と外部記憶手段に、音声データを書き込む書込み手段とから構成される録音ユニットがある。
これは、各フィルムのインデックスに対応して、音声を記録するものであり、挿入されているフィルムのインデックス番号が検出され、このインデックス番号が記録された音声データに音声順に付加される。
このメモリーカードを、先の音声出力ユニットに挿入した場合、フィルムのインデックスに対応して、記録された音声が読み出される。
【００２６】尚、本音声出力装置とフィルムとの連携を自動的に行うことなく、フィルムに対応した音声データ側に、フィルムの交換を要求する案内を記録してもよい。例えば、各音声の間に、「次のスライドを入れて下さい。」との案内音声を付加しておけばよい。
【００２７】更に、別の処理手段としては、光源の色合い調整手段がある。
これは、ＬＥＤ光源として、赤、青、緑の発光素子を用い、フィルム番号に応じて光源の色合いを変更するものである。
また、タイマーにて、時間の経過と共に、光源の色合いを変化させ、例えば、空が青い状態から赤い状態へと変化させ１つのフィルムで風景の時間的変化を表現してもよい。
【００２８】また、色合いに限らず、光量の調節をフィルム識別番号で行っても良い。
例えば、徐々に画面が暗くなるような効果を与えたもよい。
【００２９】次に、スライド投影ユニット１の電源マップを図５に示す。本実施例では、バッテリ８を用いて各電子部品を駆動しているが、投影用ＬＥＤ５１は、第１の定電流回路５２を介してバッテリ８に接続され、フォトインタラプタ５、マイコン２０、及び送信用赤外線ＬＥＤ２２は、並列に第２の定電流回路５３を介してバッテリに接続されている。
この定電流源５２、５３は、フィルム配置ユニット内に設けられる。
【００３０】次に、本実施例の動作を図６に示す。
メインスイッチをオンにすると、光源の複数のＬＥＤの内の一部分が点灯する。尚、スライド挿入口にＬＥＤを設け、このＬＥＤが点灯するようにしてもよい。このメインスイッチをオンにした状態で、スライドを挿入すると、全てのＬＥＤが点灯すると共に、フォトインタラプタにて、フィルム（スライド）のインデックスが検出される。
このフィルム（スライド）のインデックスに従い、マイコンはフィルム識別番号に対応した音声再生指示信号を形成し、送信する。
音声ユニットでは、この音声再生指示信号に従って、外部記憶媒体であるＣＤ−ＲＯＭから音声を読出し、スピーカにより音声を発生する。
【００３１】また、本実施例装置を使用しないときは、全てのユニット、オプション機器をケース内に収容した上で、蓋を閉じることでコンパクトにまとめられる。更に、フィルム番号データをパーソナルコンピュータに伝達する接続端子を設けてもよい。
この構成によって、スライドの出し入れの検出、スライド番号認識、更にスライドの出し入れの時間計測をパーソナルコンピュータで行い、本実施例の装置とパーソナルコンピュータによりスライドを用いた学習システムやゲームを構築してもよい。
【００３２】
【発明の効果】以上述べたように本発明では、スライドの番号を検出してその番号に応じた外部機器の処理を可能とするものであり、単なる投影装置ではなく、インタラクティブな利用が可能なスライド投影装置を提供することが可能となる。
【図面の簡単な説明】
【図１】図１は、本発明の実施例の形態に係る主要な構成を示す構造図である。
【図２】図２は、実施例を示す断面図である。
【図３】図３は、実施例の斜視図である。
【図４】図４は、実施例の回路構成図である。
【図５】図５は、実施例の電源マップを示すブロック図である。
【図６】図６は、実施例の動作を示すフローチャートである。
【図７】図７は、実施例に用いているフィルムホルダの正面図である。
【符号の説明】
１：スライド投影ユニット
２：光源ユニット
３：フィルム配置ユニット
４：投影レンズユニット
２１：フィルム識別手段
２４：処理手段
【図１】
2004326064.tif 000003
【図２】
2004326064.tif 000004
【図３】
2004326064.tif 000005
【図４】
2004326064.tif 000006
【図５】
2004326064.tif 000007
【図６】
2004326064.tif 000008
【図７】
2004326064.tif 000009